(57)【要約】表示装置は、入力テキスト情報（ＩＴ）、およびビデオフィールド（Ｆｉ）内にいくつかのビデオ線（Ｌｉ）を有するインタレース入力ビデオ情報（ＩＶ）を、表示テキスト（Ｔｉ）および表示映像（Ｖｉ）を含む表示信号（ＤＳ）に変換する信号変換器（ＳＣ）を備える。アドレス指定回路（ＡＤ）は、ビデオフィールド（Ｆｉ）と実質的に同等の持続時間およびビデオ線（Ｌｉ）の数の実質的に２倍の数の表示線（ＤＬｉ）を有する連続ノンインタレース表示フィールド（Ｆｉ）において表示装置の表示画面（ＤＳＣ）をアドレス指定する。信号変換器（ＳＣ）は表示信号（ＤＳ）を供給する出力を有し、この表示信号（ＤＳ）において、表示映像（Ｖｉ）は各連続表示フィールド（Ｆｉ）で奇数または偶数表示線（ＤＬｉ）のいずれかのみに存在し、表示テキスト（Ｔｉ）は連続表示フィールド（Ｆｉ）の同一の表示線（ＤＬｉ）に存在する。
2005525055.tif 000002
【特許請求の範囲】
【請求項１】
入力テキスト情報と、ビデオフィールド内にいくつかのビデオ線を有するインタレース入力ビデオ情報とを、表示テキストおよび表示映像を含む表示信号に変換する信号変換器と、
ビデオフィールドと実質的に同一の持続時間、およびビデオ線の数の実質的に２倍の数の表示線を有する連続ノンインタレース表示フィールドにおいて表示装置の表示画面をアドレス指定するアドレス指定手段とを備え、
前記信号変換器は表示信号を供給する出力を有し、この表示信号において、表示映像は各連続表示フィールドで奇数または偶数の表示線のいずれかのみに存在し、表示テキストは前記連続表示フィールドの同一の表示線に存在する、表示装置。
【請求項２】
前記信号変換器はメモリおよびクロック発生器を備え、
前記クロック発生器は前記メモリに入力ビデオ情報を格納するための書き込みクロックを前記メモリに供給し、且つ、前記メモリからの表示映像を読み出すための読み出しクロックを前記メモリに供給し、
前記読み出しクロックは、前記書き込みクロックの繰り返し周波数よりも少なくとも２倍高い繰り返し周波数を有する、請求項１に記載の表示装置。
【請求項３】
前記信号変換器は、前記クロック発生器を制御して、所定の表示フィールドの奇数表示線の間にのみ、および連続表示フィールドの偶数線の間にのみ前記読み出しクロックを供給する制御装置をさらに備える、請求項２に記載の表示装置。
【請求項４】
前記表示装置は表示テキストである入力テキスト情報を供給するテキストジェネレータを備え、
前記信号変換器は、前記テキストジェネレータを制御して前記連続表示フィールドの同一の線上に前記表示テキストを供給する制御装置を含む、請求項１または２に記載の表示装置。
【請求項５】
前記テキストジェネレータは、前記制御装置からタイミング情報を受信して前記表示テキストを前記表示フィールドの奇数または偶数の表示線のいずれかに供給する入力を有する、請求項４に記載の表示装置。
【請求項６】
前記テキストジェネレータは、前記制御装置からタイミング情報を受信して前記表示テキストを前記表示フィールドの実質的にすべての線に供給する入力を有する、請求項４に記載の表示装置。
【請求項７】
前記表示装置は、表示映像または表示テキストが表示されていない表示線または表示線の一部に黒レベルを供給する手段をさらに備える、請求項１に記載の表示装置。
【請求項８】
前記表示装置は表示テキストである入力テキスト情報を供給するテキストジェネレータを備え、
前記信号変換器は、前記テキストジェネレータを制御して前記連続表示フィールドの同一の線上に前記表示テキストを供給する制御装置を含み、
前記読み出しクロックの繰り返し周波数は、前記書き込みクロックの繰り返し周波数の４倍であり、
前記制御装置は、前記メモリを制御して表示画面の左半分または右半分のいずれかに表示映像を供給し、且つ前記テキストジェネレータを制御して前記表示画面の残りの半分に表示テキストを供給するように適合化される、請求項２に記載の表示装置。
【請求項９】
前記メモリは２つのラインメモリを含み、前記２つのラインメモリの一方のビデオ線のうちの所定の一つのビデオ線のデータを格納し、他方のラインメモリからその前のビデオ線の表示映像を読み出す、請求項２に記載の表示装置。
【請求項１０】
入力テキスト情報、およびビデオフィールド内にいくつかのビデオ線を有するインタレース入力ビデオ情報を、ビデオフィールドと実質的に同一の持続時間、およびビデオ線の数の実質的に２倍の数の表示線を有する連続ノンインタレース表示フィールドにおいてアドレス指定される表示装置の表示画面で表示するのに適した表示信号に変換する信号変換器であって、
前記表示信号は表示テキストおよび表示映像を含み、
前記信号変換器は、連続表示フィールドでは奇数または偶数表示線のいずれかのみにある前記表示映像と、前記連続表示フィールドの同一の表示線にある前記表示テキストとを含む表示信号を供給する出力を有する、信号変換器。
【請求項１１】
入力テキスト情報、およびビデオフィールド内にいくつかのビデオ線を有するインタレース入力ビデオ情報を、表示テキストおよび表示映像を含む表示信号に変換する方法であって、
ビデオフィールドと実質的に同一の持続時間、およびビデオ線の数の実質的に２倍の数の表示線を有する連続ノンインタレース表示フィールドにおいて表示装置の表示画面をアドレス指定し、
連続表示フィールドでは奇数または偶数の表示線のいずれかのみにある表示映像を供給し、且つ、前記連続表示フィールドの同一の表示線にある表示テキストを供給する、方法。
【発明の詳細な説明】
【技術分野】
【０００１】
本発明は、入力テキスト情報およびインタレース入力ビデオ情報を表示信号に変換する信号変換器を有する表示装置、そのような信号変換器、および信号を変換する方法に関する。
【背景技術】
【０００２】
米国特許公開第５，１０９，２７９号には、テレビ映像に重ねられる補助画像としてテキストデータを表示する回路が開示されている。補助画像はＣＲＴの表示画面の４分の１または２分の１を覆う場合がある。テレビ映像は、インタレースで表示される標準的なテレビ信号である。テキスト信号は、テキスト信号の第１および第２のフィールドのみを連続的に表示することによってノンインタレースで表示される。これには、テキスト映像が大きな面積でのちらつきおよび移動の影響を受けるという欠点がある。
【発明の開示】
【０００３】
本発明の目的は、大きな面積でのちらつきが少なく、インタレースでビデオ情報を、およびノンインタレースでテキスト情報を表示するのに適した表示装置を提供することである。
【０００４】
この目的のため、本発明の第１の態様においては、請求項１に記載された表示装置を提供する。本発明の第２の態様においては、請求項１０に記載された信号変換器を提供する。本発明の第３の態様においては、請求項１１に記載された変換方法を提供する。有利な実施の形態は従属請求項に記載されている。
【０００５】
表示装置は表示信号を表示する表示画面を有している。表示信号は、インタレースで最適に表示される表示映像、およびノンインタレースで最適に表示される表示テキストを含む。ビデオ情報はビデオ線のビデオフィールドを有するインタレース入力ビデオ情報として受信される。連続フィールドのビデオ線はインタレースビデオ情報を含む。
【０００６】
表示画面はアドレス指定回路によってアドレス指定されてビデオ線のノンインタレース表示フィールドを表示する。表示フィールドはビデオフィールドと実質的に同一の持続時間およびビデオ線の数の実質的に２倍の数の表示線を有する。
【０００７】
信号変換器は、連続表示フィールドにおいて、奇数または偶数の表示線のいずれかのみの表示映像、および前記連続表示フィールドの同一の表示線の表示テキストを含む表示信号を供給する。
【０００８】
連続表示フィールドにおいて１本ずつずらされた利用可能な表示線の半分のみを使用することによって、ビデオ情報は再びインタレースで表示される。テキスト情報は同一の線上のあらゆる表示フィールドにおいて表示されるため、ノンインタレースで表わされる。
【０００９】
一例として、ビデオ情報はＮＴＳＣまたはＰＡＬ等のテレビ放送信号であってよく、テキスト信号はテレテキストまたはＯＳＤ（ｏｎ  ｓｃｒｅｅｎ  ｄｉｓｐｌａｙ）信号であってよい。ＰＡＬテレビ信号は、完全な映像を形成し且つインタレース線を有するいわゆる奇数および偶数フィールドで構成される６２５本の線のフレームを含んでいる。奇数フィールドは、映像の３１２と２分の１本の奇数線を含み、偶数フィールドは、映像の３１２と２分の１本の偶数線を含む。ビデオ信号がＰＡＬテレビ信号である場合は、表示フィールドは、ビデオフィールドとして同一の５０Ｈｚ繰り返し周波数、および３１２と２分の１本の線の代わりに６２５本の線を有する。連続表示フィールドの６２５本の線はノンインタレースで表示されるため、互いに重なり合う。
【００１０】
特定の表示フィールドの間は奇数入力ビデオ線が奇数表示線上に表示され、次の表示フィールドの間には偶数入力ビデオ線が偶数表示線上に表示され、以下同様に続く。すべての表示フィールドにおいて、テキスト情報が（可視）表示線と同じ数の線の数で生成されている場合は、テキスト情報は奇数表示線のみ、または偶数表示線のみ、またはすべての表示線に表示される。
【００１１】
テキスト情報が表示映像の上に表示されることによって表示されている映像が不明瞭になる場合がある。表示映像は表示画面の一部のみを覆うように圧縮されることが好ましい。テキスト情報は表示画面の残りの部分に表示される。
【００１２】
請求項２に記載された実施の形態において、信号変換器はメモリおよびクロック発生器を備える。クロック発生器はメモリに入力ビデオ情報を格納するための書き込みクロックをメモリに供給し、且つメモリからの表示映像を読み出すための読み出しクロックを供給する。読み出しクロックは、書き込みクロックの繰り返し周波数よりも少なくとも２倍の高い繰り返し周波数を有している。書き込みクロックの２倍の周波数を有する読み出しクロックは入力ビデオ線を、前記入力ビデオ線の持続時間の半分の持続時間を有する表示映像に変換する必要がある。表示画面の一部のみを覆うように表示映像を圧縮しなければならない場合、読み出しクロックは書き込みクロックの周波数の２倍よりも高い周波数を有していればよい。
【００１３】
請求項８に記載された実施の形態において、ビデオ情報が表示画面の前半に表示され、テキスト情報が表示画面の後半に表示される場合（またはその反対）、格納されたビデオ情報は書き込みクロックの４倍の読み出しクロックで読み出される。表示画面の残りの半分がビデオ情報を表示するために使用されない時間の間に、テキストジェネレータはそのテキスト情報を供給するように制御される。
【００１４】
このようにして、ビデオ情報およびテキスト情報は互いに並んで表示され、完全なものとして見ることができるが、ＰＩＰで発生するようにテキスト情報によってビデオ情報が不明瞭となる場合にはこれは当てはまらない。表示画面が１６から９のアスペクト比を有している場合、この特徴は特に当てはまる。
【００１５】
または、メモリを用いてビデオ情報およびテキスト情報の両方を圧縮することもできる。入力ビデオ情報およびテキスト情報はラインメモリ内に線ごとに格納される。制御回路はビデオ情報およびテキスト情報のラインメモリへの格納およびラインメモリからのデータの読み出しを制御し、連続表示フィールドにおいてビデオ情報が奇数線または偶数線のいずれかのみに表示され、テキスト情報が同一の線上に表示される。
【００１６】
または、サンプルをスキップすることによって、ビデオ情報および適用可能な場合はテキスト情報の圧縮を行うようにしてもよい。
【００１７】
ＰＩＰ（Ｐｉｃｔｕｒｅ  Ｉｎ  Ｐｉｃｔｕｒｅ）から知られている方法と同じように、テキスト情報をビデオ情報に重ねることもできる。
【００１８】
請求項３に記載された実施の形態において、奇数線のみの間にメモリに読み出しクロックを供給することによって、ビデオ情報の線は所定の表示フィールドで奇数線上のみに表示される。次の表示フィールドにおいて、偶数線のみの間にメモリに読み出しクロックを供給することによって、ビデオ情報の線は偶数線上のみに表示される。
【００１９】
請求項４に記載された実施の形態において、制御装置はテキストジェネレータを制御して連続表示フィールドの同一の表示線へテキスト情報を供給することによりテキスト情報のノンインタレース表示を行う。
【００２０】
通常、テキストジェネレータは表示されるテキスト情報を格納するメモリを備えている。このメモリの読み出しクロックを制御することによってデータの読み出し時点を制御するようにしてもよい。
【００２１】
請求項５に記載された実施の形態において、テキスト情報の線は連続表示フィールドの奇数線または偶数線のいずれかに表示される。これは、共通に利用可能なテキストジェネレータを使用することができるという利点がある。テキストジェネレータは、少なくとも２倍の速度で表示線の半分にテキスト情報を供給することができるようにすればよい。
【００２２】
請求項６に記載された実施の形態において、テキスト情報は表示フィールドのすべての（可視）線に表示される。これによってテキスト情報の表示の質が改善されるが、テキストジェネレータがすべての（可視）表示線に対してテキスト情報を発生させる必要がある。
【００２３】
請求項７に記載された実施の形態において、ビデオ情報およびテキスト情報が表示されない表示線または表示線の一部は黒レベルが満たされる。ブランキングによって黒レベルを満たすようにしてもよい。
【００２４】
インタレース映像が表示される表示画面の領域には、満たされるべき線部分は、ビデオ情報が偶数線に表示される場合は奇数線にあり、ビデオ情報が奇数線に表示される場合は偶数線にある。テキスト情報が表示される表示画面の領域には、テキスト情報が偶数線のみに表示される場合は奇数線が必ずブランクにされ、テキスト情報が奇数線のみに表示される場合は偶数線が必ずブランクにされる。テキスト情報がすべての線に表示される場合は、どの線もブランクにする必要はない。  
本発明のこれらおよび他の態様は、以下に説明される実施の形態を参照することによって明らかとなる。
【発明を実施するための最良の形態】
【００２５】
異なる図における同一の参照符号は同一の機能を有する同一の要素または信号を示している。指数ｉの付いた大文字で示された参照符号は、同一の大文字およびｉの代わりの数字によって示された１つ以上の要素または信号を示し、このような参照符号はまた、１つ以上のアポストロフィの付いた同一の大文字で示された要素または信号を示している。
【００２６】
図１は、本発明による表示装置のブロック図を示している。この表示装置は、信号変換器ＳＣ、表示画面ＤＳＣおよびアドレス指定回路ＡＤを備えている。信号変換器ＳＣは入力ビデオ情報、即ち信号ＩＶと、入力テキスト情報、即ち信号ＩＴとを受信して表示信号ＤＳを表示装置の表示画面ＤＳＣへ供給する。アドレス指定回路ＡＤは入力ビデオ情報ＩＶに属する同期情報ＳＩを受信し、アドレス指定情報ＡＳを表示装置へ供給する。
【００２７】
入力ビデオ信号ＩＶは、Ｒ、ＧおよびＢ信号またはＣＶＢＳ信号等の標準テレビジョン放送ベースバンド信号であってよい。同期情報ＳＩは水平および垂直同期パルスを含んでよい。入力テキスト情報ＩＴは、テレテキストデコーダまたはオンスクリーンディスプレイ（ＯＳＤ）回路によって生成されてもよい。表示装置は、陰極線管（ＣＲＴ）、または液晶ディスプレイ（ＬＣＤ）またはプラズマディスプレイパネル（ＰＤＰ）等のマトリクスディスプレイであってよい。アドレス指定回路ＡＳは、表示装置がＣＲＴの場合には水平および垂直偏向を含み、表示装置がマトリクスディスプレイの場合には行および列ドライバを含む。
【００２８】
アドレス指定回路ＡＤは表示装置を駆動し、入力ビデオ信号ＩＶのビデオフィールド周期Ｆｉ（図２を参照；Ｆ１、Ｆ２、Ｆ１’）において、表示線ＤＬｉ（ＤＬ１、ＤＬ２、ＤＬ３；ＤＬ１’、ＤＬ２’、ＤＬ３’、ＤＬ４’；ＤＬ１”、ＤＬ２”、ＤＬ３”）の数をビデオフィールド周期Ｆｉのビデオ線Ｌｉ（Ｌ１、Ｌ２、Ｌ１’、Ｌ２’Ｌ１”、Ｌ２”）の数の２倍とする。連続表示フィールドＦｉはノンインタレースで表示される。このような表示装置の駆動は順次走査として知られている。しかし、本発明による順次走査表示装置で表示される情報は従来技術とは異なっている。従来技術の順次走査表示装置では、入力ビデオ情報ＩＶはすべての表示線ＤＬｉに表示されるように処理される。本発明による順次走査表示装置では、入力ビデオ情報ＩＶは表示フィールドＦｉの表示線ＤＬｉの半分のみに表示される。
【００２９】
図２は、表示信号ＤＳのフィールドＦｉと同等である入力ビデオ信号ＩＶのフィールドＦｉ、入力ビデオ情報ＩＶの線Ｌｉ、表示フィールドＦｉの表示線ＤＬｉ、および表示信号ＤＳの順序で上から下へ明らかにするためのタイミング概観図である。表示信号ＤＳは、表示映像Ｖｉと、表示テキストＴｉと、表示映像Ｖｉおよび表示テキストＴｉが表示されない情報Ｂを含む。
【００３０】
フィールドＦｉのうち、連続フィールドＦ１、Ｆ２およびＦ１’が示されている。入力ビデオ情報ＩＶに関して、例えば、フィールドＦ１およびＦ１’は奇数表示線Ｌ１、Ｌ２、．．．およびＬ１”、Ｌ２”．．．を含む奇数フィールドである。フィールドＦ２は偶数フィールドであり、偶数表示線Ｌ１’、Ｌ２’．．．を含む。奇数および偶数フィールドＦｉはインタレースビデオ情報を含んでいるため、インタレース表示線ＤＬｉで表示されることを目的としている。
【００３１】
表示信号ＤＳに関して、すべてのフィールドＦｉはノンインタレースで表示される表示線ＤＬｉを含んでいる。即ち、表示フィールドＦ１の表示線ＤＬ１は表示フィールドＦ２の表示線ＤＬ１’と表示画面上の同一の位置で表示され、同一の指数ｉを持つすべての表示線ＤＬｉについても同様である。フィールドＦｉにおける表示線ＤＬｉの数はフィールドＦｉにおけるビデオ線の数の２倍である。一例として、図２は、入力ビデオ信号ＩＶが表示画面ＤＳＣの左半分に表示映像Ｖｉとして表示され、入力テキスト情報ＩＴが表示画面ＤＳＣの右半分に表示テキスト情報Ｔｉとして表示された場合の表示信号ＤＳを示している。
【００３２】
表示信号ＤＳは、フィールドＦ１の間に、ビデオ線Ｌ１の入力ビデオ情報ＩＶが表示映像Ｖ１として表示線ＤＬ１の前半に表示されていることを示している。表示テキストＴｉの対応する線Ｔ１は表示線ＤＬ１の後半に表示される。フィールドＦ１の第２の表示線ＤＬ２には、表示映像またはテキスト情報は表示されず黒レベルＢが挿入される。ビデオ線Ｌ２の入力ビデオ情報ＩＶは表示映像Ｖ２として表示線ＤＬ３の前半に表示される。表示テキストＴｉの対応する線Ｔ２は表示線ＤＬ３の後半に表示される。フィールドＦ１の残りの間も同様に続く。データおよび信号の同様の順番がすべての奇数フィールドＦ１、Ｆ１’、．．．で発生する。
【００３３】
表示信号ＤＳは、フィールドＦ２の間に、ビデオ線Ｌ１’の入力ビデオ情報ＩＶが表示映像Ｖ１’として表示線ＤＬ２’の前半に表示されていることを示している。表示テキストＴｉの対応する線Ｔ１’は表示線ＤＬ１の後半に表示される。表示線ＤＬ１の前半およびフィールドＦ２のビデオ線ＤＬ２の後半には、情報は表示されず黒レベルＢが挿入される。ビデオ線Ｌ２’の入力ビデオ情報ＩＶは表示映像Ｖ２’として表示線ＤＬ４’の前半に表示される。表示テキストＴｉの対応する線Ｔ２’は表示線ＤＬ３’の後半に表示される。フィールドＦ２の残りの間も同様に続く。データおよび信号の同様の順番がすべての偶数フィールドＦ２、．．．で発生する。
【００３４】
図２は、入力ビデオ情報ＩＶがインタレースで表示されることを示している。即ち、奇数フィールドＦ１、Ｆ１’．．．の間に映像が奇数表示線ＤＬ１、ＤＬ１”に表示映像Ｖ１、Ｖ１”として表示され、偶数フィールドＦ２、．．．の間に映像が偶数表示線ＤＬ２’、ＤＬ４”に表示映像Ｖ１’、．．．として表示される。
【００３５】
表示テキスト線Ｔｉは、すべてのフィールドＦｉにおいて同一の表示線ＤＬｉ（この例においては、奇数線）で表示されるため、ノンインタレースで表示される。
【００３６】
なお、図２は、インタレースでノンインタレース表示線ＤＬｉに入力ビデオ情報ＩＶを表示するための、およびノンインタレースで入力テキスト情報を表示するための可能な方法の例としての役目を果たしているに過ぎない。関連して、入力ビデオ情報ＩＶの連続フィールドＦｉは、連続フィールドＦｉにおいて偶数表示線ＤＬｉまたは奇数表示線ＤＬｉのいずれかに表示される。一方、表示テキスト情報Ｔｉをすべての表示フィールドＦｉの同一の表示線ＤＬｉに供給することによって、テキスト情報はノンインタレースで表示される。
【００３７】
図３Ａおよび３Ｂは、２つの連続表示フィールドの表示線に表示された情報を示している。図３ＡはフィールドＦ１の６本の連続線ＤＬ１乃至ＤＬ６に表示された情報を示し、図３Ｂは次のフィールドＦ２の対応する６本の連続線ＤＬ１’乃至ＤＬ６’に表示された情報を示している。
【００３８】
一例として、図３は、入力ビデオ信号ＩＶが表示画面ＤＳＣの左半分に表示映像Ｖｉとして表示され、入力テキスト情報ＩＴが表示画面ＤＳＣの右半分に表示テキスト情報Ｔｉとして表示された場合の表示画面ＤＳＣに表示された情報を示している。
【００３９】
ビデオ情報およびテキスト情報が表示されない表示線ＤＬｉまたは表示線ＤＬｉの一部（この例においては表示線ＤＬｉの半分）は黒で示されている。
【００４０】
フィールドＦ１の間、表示映像Ｖ１、Ｖ２、Ｖ３、．．．は奇数表示線ＤＬ１、ＤＬ３、ＤＬ５、．．．の左半分に表示される。表示テキストＴ１、Ｔ２、Ｔ３、．．．は奇数表示線ＤＬ１、ＤＬ３、ＤＬ５、．．．の右半分に表示される。偶数表示線ＤＬ２、ＤＬ４、ＤＬ６、．．．には情報は表示されない。
【００４１】
フィールドＦ２の間、表示映像Ｖ１’、Ｖ２’、Ｖ３’、．．．は偶数表示線ＤＬ２’、ＤＬ４’、ＤＬ６’、．．．の左半分に表示される。表示テキストＴ１’、Ｔ２’、Ｔ３’、．．．は奇数表示線ＤＬ１、ＤＬ３、ＤＬ５、．．．の右半分に依然表示されている。奇数表示線ＤＬ１、ＤＬ３、ＤＬ５、．．．の左半分および偶数表示線ＤＬ２、ＤＬ４、ＤＬ６、．．．の右半分には情報は表示されない。  
結果として、表示映像Ｖｉはインタレースで表示され、テキスト情報はノンインタレースで表示される。
【００４２】
図４は、本発明による信号変換器の実施の形態のブロック図を示している。
【００４３】
アナログデジタル変換器ＡＤＣは、ベースバンドテレビ信号であってもよいアナログ入力ビデオ信号ＩＶを受信し、デジタル入力ビデオ信号ＤＩＶをスイッチＳ１へ供給する。入力ビデオＩＶ信号がデジタル形式で受信される場合はアナログデジタル変換器ＡＤＣを省略することができる。スイッチＳ１はデジタル入力信号をラインメモリＬＭ１またはラインメモリＬＭ２へ供給する。スイッチＳ２は、ラインメモリＬＭ１の出力、ラインメモリＬＭ２の出力、または黒レベル発生器ＢＧによって供給された黒レベル信号ＢＬのいずれかを選択することによって表示映像ＤＶを供給する。加算器ＡＤＤはテキスト情報ＴＩを表示映像ＤＶに加算して表示信号ＤＳを獲得する。デジタルアナログ変換器ＤＡＣはデジタル表示信号ＤＳをアナログ表示信号ＤＳＡに変換して表示装置ＤＳＣへ供給する。
【００４４】
アドレス指定回路ＤＡは入力ビデオ情報ＩＶに属する同期情報ＳＩを受信し、表示装置ＤＳＣをアドレス指定して入力ビデオ情報ＩＶのビデオ線Ｌｉの数の２倍の表示線ＤＬｉを表示フィールドＦｉに供給する。表示フィールドＦｉは入力情報ＩＶのフィールドＦｉを同一の持続時間を有している。同期情報ＳＩは水平および垂直同期情報を含んでいる。アドレス指定回路ＤＡは順次走査表示装置で使用されている公知のアドレス指定回路であってよい。
【００４５】
クロック発生器ＣＧは書き込みクロックＣＬＫ１および読み出しクロックＣＬＫ２を発生させる。クロック発生器ＣＧは公知の線位相ロックループであってよく、これは同期情報ＳＩを受信してクロック信号ＣＬＫ１およびＣＬＫ２を線同期パルスにロックする。アナログデジタル変換器ＡＤＣには書き込みクロックＣＬＫ１が供給される。デジタルアナログ変換器ＤＡＣには読み出しクロックＣＬＫ２が供給される。
【００４６】
ラインメモリＬＭ１はクロック入力を有し、これはスイッチＳ３を介して書き込みクロックＣＬＫ１または読み出しクロックＣＬＫ２を受信する。ラインメモリＬＭ２はクロック入力を有し、これはスイッチＳ４を介して書き込みクロックＣＬＫ１または読み出しクロックＣＬＫ２を受信する。
【００４７】
制御装置ＣＯは同期情報ＳＩを受信し、スイッチＳ１、Ｓ３およびＳ４には制御信号ＣＳ１を、スイッチＳ２には制御信号ＣＳ２を、テキストジェネレータＴＧには制御信号ＣＳ３を供給する。
【００４８】
信号変換器ＳＣの動作を明らかにするため、スイッチＳ１乃至Ｓ４に対して図４に示される位置を取るように命令する制御装置ＣＯにより開始状況が画定される。書き込みクロックＣＬＫ１はラインメモリＬＭ２へ供給されて入力ビデオＩＶの線ＬｉをこのメモリＬＭ２に書き込む。このビデオ線Ｌｉの間、読み出しクロックＣＬＫ２はラインメモリＬＭ１へ供給されてこのメモリＬＭ１から予め格納された線Ｌｉを読み出す。次のビデオ線Ｌｉにおいて、スイッチＳ１乃至Ｓ４は反対の位置を取り、前のビデオ線Ｌｉの間にメモリＬＭ２に格納されたビデオ情報が読み出される一方、現在のビデオ線ＬｉはメモリＬＭ１に格納される。
【００４９】
２つの状況について説明する。第１の状況においては、入力ビデオ情報ＩＶは全画面で表示され、第２の状況においては、入力ビデオ情報ＩＶは表示画面ＤＳの左半分に表示される。
【００５０】
第１の状況において、読み出しクロックＣＬＫ２は書き込みクロックＣＬＫ１の周波数の２倍の周波数を有している。格納されたビデオ線ＬｉがラインメモリＬＭ２から読み出される時、スイッチＳ２はラインメモリＬＭ２に接続される。格納されたビデオ線ＬｉがラインメモリＬＭ１から読み出される時、スイッチＳ２はラインメモリＬＭ１に接続される。メモリＬＭ１およびメモリＬＭ２のいずれからも情報が読み出されない時、スイッチＳ２は黒レベル発生器ＢＧに接続される。テキストジェネレータＴＧが制御信号ＣＳ３によって制御されてテキストＴｉを表示する場合、この表示テキストＴｉは表示ビデオ情報ＤＶを覆うか表示ビデオ情報ＤＶと混在する。テキストＴｉが表示される領域においてテキストＴｉがすべての表示線ＤＬｉで表示される場合、またはテキスト線間の表示線ＤＬｉがブランクにされる場合、表示ビデオ情報ＤＶは覆われる。
【００５１】
第２の状況において、読み出しクロックＣＬＫ２は書き込みクロックＣＬＫ１の周波数の４倍の周波数を有している。信号変換器ＳＣの動作を説明するため、図３Ａに示された線ＤＬ１乃至ＤＬ４および図３Ｂに示された線ＤＬ１’乃至ＤＬ４’について述べる。
【００５２】
図３Ａを参照すると、線ＤＬ１はメモリＬＭ１から読み出されると仮定する。すべてのスイッチＳ１乃至Ｓ４は図４に示される位置にある。ビデオ情報Ｖ１を含む格納されたビデオ線Ｌｉが、このビデオ線がメモリＬＭ１に書き込まれる速度の４倍でラインメモリＬＭ１から読み出される。例えば、書き込みクロックＣＬＫ１は１３．５ＭＨｚの周波数を有し、読み出しクロックＣＬＫ２は５４ＭＨｚの周波数を有する。その結果、ビデオ情報Ｖ１は表示線ＤＬ１の前半に表示される。制御信号ＣＳ３はテキストジェネレータＴＧに対して表示線ＤＬ１の後半の間にテキスト情報ＩＴの線を表示するように指示する。次の表示線ＤＬ２において、スイッチＳ２は中間位置に置かれ、黒い線が表示される。現在のビデオ線のビデオ情報Ｖ２は表示線ＤＬ１およびＤＬ２の間にメモリＬＭ２に格納される。
【００５３】
表示線ＤＬ３の前半の間、スイッチＳ１乃至Ｓ４は反対の位置にあってメモリＬＭ２からビデオ情報Ｖ２を読み出す。制御信号ＣＳ３はテキストジェネレータＴＧに対して表示線ＤＬ３の後半の間にテキスト情報ＩＴの線を表示するように指示する。次の表示線ＤＬ４において、スイッチＳ２は中間位置に置かれ、黒い線が表示される。
【００５４】
この手順は４つの隣接する表示線ＤＬｉの各ブロックに対して繰り返される。
【００５５】
図３Ｂを参照すると、線ＤＬ１’はメモリＬＭ１から読み出されると仮定する。すべてのスイッチＳ１乃至Ｓ３は図４に示される位置にある。表示線ＤＬ１’の前半の間、スイッチＳ２は中間位置に置かれてブラック情報を供給する。表示線ＤＬ１’の後半の間、制御信号ＣＳ３はテキストジェネレータＴＧに対してテキスト情報ＩＴの線を表示するように指示する。表示線ＤＬ２’の前半の間、スイッチＳ２は下部位置にあってメモリＬＭ１から情報を読み出してビデオ情報Ｖ１’を読み出す。表示線ＤＬ２’の後半の間、スイッチＳ２は中間位置に置かれてブラック情報を供給する。現在のビデオ線のビデオ情報Ｖ２’は表示線ＤＬ１’およびＤＬ２’の間にメモリＬＭ２に格納される。
【００５６】
表示線ＤＬ３’の前半の間、スイッチＳ１乃至Ｓ３は反対の位置にあってメモリＬＭ２からのビデオ情報Ｖ２の読み出しを可能とし、スイッチＳ２は中間位置にあってブラック情報を供給する。表示線ＤＬ３’の後半の間、制御信号ＣＳ３はテキストジェネレータＴＧに対してテキスト情報ＩＴの線を表示するように指示する。表示線ＤＬ４’の前半の間、スイッチＳ２は上部位置にあってメモリＬＭ２から情報を読み出してビデオ情報Ｖ２’を表示する。表示線ＤＬ２’の後半の間、スイッチＳ２は中間位置にあってブラック情報を供給する。
【００５７】
この手順は４つの隣接する表示線ＤＬｉ’の各ブロックに対して繰り返される。  
なお、上述の実施の形態は本発明を例証するものであって限定するものではなく、当業者は添付された請求の範囲から逸脱せずに様々な変形例を設計することができる点に留意されたい。例えば、黒レベル発生器ＢＧおよびスイッチＳ２の中間位置を省略してもよい。デジタルアナログ変換器ＤＡＣと表示装置ＤＳＣとの間に配置されたＲＧＢプロセッサ（集積回路として利用可能）のブランキング入力によって黒レベル信号ＢＬを挿入するようにしてもよい。加算器ＡＤＤをＲＧＢプロセッサの一部としてもよい。
【００５８】
黒レベルを挿入する代わりに、前の線のビデオまたはテキスト情報を繰り返すことができる。
【００５９】
スイッチＳ１およびＳ２の代わりに、変換器ＡＤＣと加算器ＡＤＤとの間に平行してメモリＬＭ１およびＬＭ２を配置することができる。ラインメモリＬＭ１およびＬＭ２は情報の格納または読み出しを選択するように読み出し／書き込み入力を介して制御される。適切な時間の間にラインメモリＬＭ１またはＬＭ２から格納された情報が読み出された後に読み出しクロック信号ＣＬＫ２は停止される。
【００６０】
請求の範囲において、括弧内のいずれの参照記号も請求の範囲を限定するものと見なされるものではない。「ｃｏｍｐｒｉｓｉｎｇ」（備える）という語は請求項に記載された以外の要素またはステップが存在することを排除するものではない。要素の前の「ａ」または「ａｎ」（１つの）という語はそのような要素が複数存在することを排除するものではない。いくつかの別個の要素を備えるハードウェアによって、および適切にプログラムされたコンピュータによって、本発明を実施することができる。いくつかの手段を列挙している装置請求項において、これらの手段のいくつかをハードウェアの１つのおよび同一のアイテムによって実施することができる。互いに異なる従属請求項においてある範囲が記載されているということは、これらの範囲を組み合わせて都合良く使用することができないということを示している訳ではない。
【００６１】
要約すると、本発明は、入力テキスト情報ＩＴ、およびビデオフィールドＦｉ内にいくつかのビデオ線Ｌｉを有するインタレース入力ビデオ情報ＩＶを、表示テキストＴｉおよび表示映像Ｖｉを含む表示信号ＤＳに変換する信号変換器ＳＣを備える表示装置に向けられたものである。アドレス指定回路ＡＤは、ビデオフィールドＦｉと実質的に同等の持続時間およびビデオ線Ｌｉの数の実質的に２倍の数の表示線ＤＬｉを有する連続ノンインタレース表示フィールドＦｉにおいて表示装置の表示画面ＤＳＣをアドレス指定する。信号変換器ＳＣは表示信号ＤＳを供給する出力を有し、この表示信号ＤＳにおいて、表示映像Ｖｉは各連続表示フィールドＦｉで奇数または偶数の表示線ＤＬｉのいずれかのみに存在し、表示テキストＴｉは連続表示フィールドＦｉの同一の表示線ＤＬｉに存在する。
【図面の簡単な説明】
【００６２】
【図１】本発明にかかる表示装置のブロック図を示している。
【図２】入力ビデオ情報のビデオ線およびフィールド、および表示信号のビデオ線および表示フィールドを明らかにするためのタイミング概観図である。
【図３Ａ】本発明による実施の形態における２つの連続表示フィールドの表示線に表示された情報を示している。
【図３Ｂ】本発明による実施の形態における２つの連続表示フィールドの表示線に表示された情報を示している。
【図４】本発明にかかる信号変換器の実施の形態のブロック図を示している。
【図１】
2005525055.tif 000003
【図２】
2005525055.tif 000004
2005525055.tif 000005
【図４】
2005525055.tif 000006
【国際調査報告】
2005525055.tif 000007
2005525055.tif 000008
2005525055.tif 000009